(57)【要約】【課題】冷却ファンと消音システムの作動を常時一緒に行わず、消音システムの作動は装置の温度状況に応じ必要な場合にのみ行う増幅装置を提供する。【解決手段】この発明の増幅装置１００において、消音システム制御部１５は、温度検出部１２が検出した無線増幅部１１の温度範囲が予め決められた範囲未満の場合、すなわち、検出電圧値Ｘが“Ｘ＜Ｃ”の場合には、消音システム１８を作動させず、温度検出部１２が検出した温度範囲が予め決められた範囲以上“Ｘ≧Ｃ”になった場合にのみ消音システム１８を稼働させる。このとにより、無線増幅部１１の温度があまり高くなく、ファン装置１９ａ，１９ｂの回転数が少なく消音システムを作動させる必要がない場合に、無駄な作動をさせることがないので電力効率が良好である。【選択図】　　　　図１
2004120680.tif 000002
【特許請求の範囲】
【請求項１】
無線増幅部の温度を温度検出部によって検出し、検出する多段階の温度範囲に対応してファン装置の回転数を制御し、無線増幅部の過熱を防止するとともに、ファン装置の発生する騒音を消音システムよって低減する増幅装置において、
前記温度検出部が検出した温度範囲が予め決められた範囲以上になった場合にのみ消音システムを稼働させる消音システム制御部を有することを特徴とする増幅装置。
【発明の詳細な説明】
【０００１】
【発明の属する技術分野】
この発明は増幅装置に関し、特に、無線増幅部の温度を温度検出部によって検出し、検出する多段階の温度範囲に対応してファン装置の回転数を制御し、無線増幅部の過熱を防止するとともに、ファン装置の発生する騒音を消音システムよって低減する増幅装置に関する。
【０００２】
【従来の技術】
この種の増幅装置の従来例としては、公知例（例えば特許文献１）に開示された情報処理装置がある。この情報処理装置においては、冷却ファンの回転数を使用環境に合わせてユーザが切り替えることができるように構成されている。すなわち、ユーザは、冷却ファンの発生する騒音が問題でない場所では、情報処理装置の温度が上昇した場合に、冷却ファンの回転数を上げて冷却を強化させる。しかし、静寂を保つ必要がある場所では、冷却ファンの回転数を上げるよりは、情報処理装置のクロック周波数を下げることで過熱を防止しようとしている。したがって、自動的に冷却ファンの回転数を制御したいという要望には適合しないし、装置の動作速度を下げられないような増幅装置の場合に、この発明の適用は困難である。これとは異なり、他の公知例（例えば特許文献２）に開示された発明の冷却ファン消音システムは、騒音と逆位相の干渉音を作り出し、積極的に音波干渉で消音させるアクティブ消音システムを開示している。例えば、冷却ファンの回転に同期して冷却ファンの回転数に羽根の枚数を乗じた値に相当する周波数の参照信号を生成し、その位相を反転させて制御信号を生成する。生成した制御信号を所定の増幅度で増幅し、消音スピーカを駆動することによって、冷却ファンが発生させた騒音に干渉を加えて自動的に騒音を消すようにしている。
【０００３】
【特許文献１】
特開２００２−１７５１３１号公報（第２−３頁、図１）
【特許文献２】
特開平９−１２７９５６号公報（第３−４頁、図１−図２）
【０００４】
【発明が解決しようとする課題】
上述した従来の技術は、冷却ファンのみで冷却しなければならない場合に、冷却ファンが発生させる騒音をアクティブ消音システムにより消音することを提案している。この場合、アクティブ消音システムは、冷却ファンが作動している時は常時作動しているが、増幅装置の実際の使用状況からすると、冷却は必要であるが消音する必要はないような状況が極めて多く、無駄な電力を消費している場合が多々見受けられる。
【０００５】
この発明は、上記の問題を解決するためになされたものであって、冷却ファンの作動とアクティブ消音システムの作動とを常時一緒に行うことは止めて、装置の温度状況に応じて必要な場合のみ消音システムを作動させるようにできる増幅装置を提供することを目的とする。
【０００６】
【課題を解決するための手段】
前述した課題を解決するために、この発明は、無線増幅部の温度を温度検出部によって検出し、検出する多段階の温度範囲に対応してファン装置の回転数を制御し、無線増幅部の過熱を防止するとともに、ファン装置の発生する騒音を消音システムよって低減する増幅装置において、前記温度検出部が検出した温度範囲が予め決められた範囲以上になった場合にのみ消音システムを稼働させる消音システム制御部を有する。
【０００７】
このような構成によれば、消音システム制御部は、温度検出部が検出した温度範囲が予め決められた範囲未満の場合には、消音システムを作動させず、温度検出部が検出した温度範囲が予め決められた範囲以上になった場合にのみ消音システムを稼働させる。このとにより、無線増幅部の温度があまり高くなく、ファン装置の回転数が少なく消音システムを作動させる必要がない場合に、無駄な作動をさせることがないので電力効率が良好である。
【０００８】
【発明の実施の形態】
以下、この発明の実施の形態について添付図面に基づいて説明する。図１（ａ）は、この発明の増幅装置の実施の形態の外観を示す斜視図、図１（ｂ）は、図１（ａ）の正面図、図１（ｃ）は、図１（ａ）の背面図、図２（ａ）は、図１で示された増幅装置の内部の配置を示す平面図、図２（ｂ）は、図２（ａ）の正面図、図３は、図２で示される内容をさらに詳細に示すブロック図、図４は、図３で示される関係テーブル記憶部に記憶された関係テーブルの内容を説明するための図、図５は、図１ないし図４によって示された冷却システムを分かり易いように単純化して示す図、図６および図７は、この発明の他の実施の形態を示す図である。
【０００９】
図１および図２で示される増幅装置１００は、無線基地局等に配置され、送信信号を増幅するために使用されるものである。増幅装置１００の正面側には、過熱を防止するための冷却システムを構成するファン装置１９ａ，１９ｂ、センサマイク２０ａ，２０ｂ、スピーカ２１ａ，２１ｂが配置され、その後方の背面側には信号増幅するとともに、正面側に配置された冷却システムの各部の制御を行うための各種の回路を含む増幅管理部１０が配置されている。増幅管理部１０は、図３で示されるように、無線増幅部１１と、温度検出部１２と、電源供給部１３と、主制御部１４と、消音システム制御部１５と、関係テーブル記憶部１６と、ファン回転数制御部１７と、消音システム１８とを有する。また、消音システム１８は、騒音検出部８１と、逆位相波形生成部８２と、逆位相波形出力部８３とを有する。
【００１０】
増幅管理部１０において、無線増幅部１１は、送信信号を増幅する。温度検出部１２は、温度センサ等により無線増幅部１１の温度を検出し、検出した温度を検出電圧値Ｘとして主制御部１４に引き渡す。電源供給部１３は、上述の各部１１〜１８に電源を供給する。主制御部１４は、温度検出部１２から受け取った検出電圧値Ｘに基づいて、関係テーブル記憶部１６に記憶されている関係テーブル（図４）を参照して、実行するべき制御内容を検出し実行する。すなわち、主制御部１４は、受け取った検出電圧値Ｘが“Ｘ＜Ａ”の場合（温度が非常に低い）には、ファン回転数制御部１７に印加電圧値“α”を通知し、ファン回転数制御部１７は、ファン装置１９ａ，１９ｂのファンを回転させず、また、主制御部１４は、消音システム制御部１５には非作動を示す“オフ”の指示を与える。
【００１１】
温度検出部１２からの検出電圧値Ｘが“Ａ≦Ｘ＜Ｂ”の場合（温度が低い）には、主制御部１４は、ファン回転数制御部１７に印加電圧値“β”を通知し、ファン回転数制御部１７は、ファン装置１９ａ，１９ｂのファンを低速度で回転させ矢印ＷＤで示されるような風の流れを発生させる。この場合、風の流れの発生による騒音は大きくないので、主制御部１４は、消音システム制御部１５には作動すべき“オン”の指示を与えずに、“オフ”の指示を与える。主制御部１４は、受け取った検出電圧値Ｘが“Ｂ≦Ｘ＜Ｃ”の場合（温度が少し高くなる）には、ファン回転数制御部１７に印加電圧値“γ”を通知し、ファン回転数制御部１７は、ファン装置１９ａ，１９ｂのファンの回転数を“β”の場合よりも少し上昇させて回転させるが、消音システム制御部１５には“オフ”の指示を与える。
【００１２】
主制御部１４は、受け取った検出電圧値Ｘが“Ｃ≦Ｘ＜Ｄ”の場合（温度が大分高くなる）には、ファン回転数制御部１７に印加電圧値“δ”を通知し、消音システム１８には作動すべき“オン”の指示を与える。ファン回転数制御部１７は、ファン装置１９ａ，１９ｂのファンの回転数を“γ”の場合よりも大分上昇させて回転させる。検出電圧値Ｘが“Ｄ≦Ｘ”の場合についても、主制御部１４は、上記と同様に、ファン回転数制御部１７に通知する印加電圧値を段階的に上昇させ、ファンの回転数を上昇させるとともに、消音システム１８には作動すべき“オン”の指示を与える。
【００１３】
主制御部１４から作動すべき“オン”の指示を与えられた消音システム制御部１５は、消音システム１８を作動状態に設定する。作動状態に設定された消音システム１８においては、消音システム制御部１５の制御の下で、騒音検出部８１がセンサマイク２０ａ，２０ｂからの騒音を検出し、検出した結果を逆位相波形生成部８２に引き渡す。逆位相波形生成部８２は、センサマイク２０ａ，２０ｂが検出した騒音に基づいて、その騒音に対する位相が逆の波形で所定のレベルの逆位相波形を生成し、逆位相波形出力部８３を介してスピーカ２１ａ，２１ｂを駆動し、ファン装置１９ａ，１９ｂの騒音を打ち消すようにさせる。このことを分かり易く表現すると、図５のように示すことができる。すなわち、温度検出部１２が検出する温度範囲が所定以上になったことを検出電圧値Ｘが示すとき、ファン装置１９ａ，１９ｂが発生する騒音が大きくなっているので、増幅管理部１０は、センサマイク２０ａ，２０ｂが検出した騒音と逆位相の音声を消音用のスピーカ２１ａ，２１ｂから発生させることにより、ファン装置が発生させた騒音を打ち消している。
【００１４】
次に、この発明の他の実施の形態について図６および図７を参照して説明する。図６および図７によって示される増幅装置１０１においては、ファン装置１９ａ，１９ｂの生成する風の流れＷＤに沿って上流側に配置されたセンサマイク２０ａ，２０ｂの他にセンサマイク２０ａ，２０ｂのそれぞれに対応するように風の流れＷＤの下流にモニタマイク２０ｃ，２０ｄを配置している。また、モニタマイク２０ｃ，２０ｄを利用するために、制御管理部１０ａの消音システム制御部１５ａが制御する消音システム１８ａには残留雑音検出部８４が配置されている。その他については、図１ないし図５において示される例と実質的に同じである。すなわち、消音システム制御部１５ａは、消音システム１８ａの騒音検出部８１および逆位相波形生成部８２の制御については、消音システム制御部１５と同様に制御する。逆位相波形出力部８３については、逆位相波形生成部８２の出力に基づいて出力すべき出力信号を残留雑音検出部８４の出力により調整する。すなわち、残留雑音検出部８４の出力の帰還を受けて、残留雑音検出部８４の出力が最小になるように逆位相波形出力部８３の出力レベルを調整する。
【００１５】
【発明の効果】
この発明の増幅装置は、以上において説明したように構成されているので、消音システム制御部は、温度検出部が検出した温度範囲が予め決められた範囲未満の場合には、消音システムを作動させず、温度検出部が検出した温度範囲が予め決められた範囲以上になった場合にのみ消音システムを稼働させる。このとにより、無線増幅部の温度があまり高くなく、ファン装置の回転数が少なく消音システムを作動させる必要がない場合に、無駄な作動をさせることがないので電力効率が良好である。
【図面の簡単な説明】
【図１】（ａ）は、この発明の増幅装置の実施の形態の外観を示す斜視図である。
（ｂ）は、（ａ）の正面図である。
（ｃ）は、（ａ）の背面図である。
【図２】（ａ）は、図１で示された増幅装置の内部の配置を示す平面図である。
（ｂ）は、（ａ）の正面図である。
【図３】図２で示される内容をさらに詳細に示すブロック図である。
【図４】図３で示される関係テーブル記憶部に記憶された関係テーブルの内容を説明するための図である。
【図５】図１ないし図４によって示された消音システムを分かり易いように単純化して示す図である。
【図６】この発明の他の実施の形態を示すブロック図である。
【図７】図６によって示された消音システムを分かり易いように単純化して示す図である。
【符号の説明】
１０，１０ａ　増幅管理部、１１　無線増幅部、１２　温度検出部、１３　電源供給部、１４　主制御部、１５，１５ａ　消音システム制御部、１６　関係テーブル記憶部、１７　ファン回転数制御部、１８，１８ａ　消音システム、１９ａ，１９ｂ　ファン装置、２０ａ，２０ｂ　センサマイク、２０ｃ，２０ｄ　モニタマイク、２１ａ，２１ｂ　スピーカ、８１　騒音検出部、８２　逆位相波形生成部、８３　逆位相波形出力部、８４　残留雑音検出部、１００，１０１　増幅装置。
【図１】
2004120680.tif 000003
【図２】
2004120680.tif 000004
【図３】
2004120680.tif 000005
【図４】
2004120680.tif 000006
【図５】
2004120680.tif 000007
【図６】
2004120680.tif 000008
【図７】
2004120680.tif 000009